(57)【特許請求の範囲】
【請求項１】
透光性樹脂フィルムと透光性樹脂キートップとを備え、前記透光性樹脂キートップの裏面に該透光性樹脂キートップの樹脂注入ゲート部が設けられ、前記透光性樹脂フィルムが前記透光性樹脂キートップの裏面を除く残余の面に固着してなるフィルム一体キーシートにおいて、
前記透光性樹脂フィルムの裏面の一部に、開口部を有する表面側装飾層を設け、
前記開口部の下方を除く前記透光性樹脂キートップの周縁部であって前記表面側装飾層の下方に設けられた樹脂注入ゲート部を、前記開口部の下端外縁と前記樹脂注入ゲート部の下端中央とを結ぶ直線と、前記透光性樹脂キートップの下面と平行となる水平面とを結ぶ角度が６０度未満となる位置に設けることで、前記樹脂注入ゲート部が前記表面側装飾層によって遮蔽されていることを特徴とするフィルム一体キーシート。
【請求項２】
前記透光性樹脂キートップの裏面に、裏面側装飾層を設けたことを特徴とする請求項１に記載のフィルム一体キーシート。
【請求項３】
前記開口部に、文字表示部を設けたことを特徴とする請求項１又は請求項２に記載のフィルム一体キーシート。
【請求項４】
前記表面側装飾層および／または裏面側装飾層が、金属光沢を有することを特徴とする請求項１から請求項３のいずれか１項に記載のフィルム一体キーシート。
【発明の詳細な説明】
【０００１】
【発明の属する技術分野】
本発明は、携帯電話や自動車電話等の情報通信機器、音響機器等の各種電子機器において押釦スイッチに用いられるフィルム一体キーシートに関するものである。
【０００２】
【従来の技術】
従来、携帯電話や自動車電話等の移動通信端末をはじめとする各種電子機器においては、軽量化、小型化及び薄型化が要望されている。そのため、これらに用いられる押釦スイッチにおいても同様に、軽量化、小型化及び薄型化が要望されている。このような要望に応えるものとして、透光性樹脂フィルムが透光性樹脂キートップの裏面を除く残余の面に固着してなるフィルム一体キーシートが知られ、近年では、この種のフィルム一体キーシートが広く採用されるに至っている。
【０００３】
図７に、従来のフィルム一体キーシートの断面図を示す。このフィルム一体キーシート３１は、透光性樹脂フィルム３２が透光性樹脂キートップ３３の裏面３３ａを除く残余の面に固着した構成となっている。そのため、このフィルム一体キーシート３１においては、透光性樹脂フィルム３２の上面側に押圧部３４が凸状に形成された構成となっている。そして、このフィルム一体キーシート３１は、押圧部３４となる透光性樹脂フィルム３２の裏面３２ａに文字・記号・数字・記号・模様或いは絵柄等の図柄を描画した文字表示層３５が設けられている。また、透光性樹脂キートップ３３の裏面３３ａの略中央位置には、樹脂注入ゲート部３６ａが設けられた構成となっている。そして、かかるフィルム一体キーシート３１は、一般に、透光性樹脂フィルム３２を透光性樹脂キートップ３３の上面側形状と略同形状に湾曲形成した後、その湾曲部内にモールド樹脂を注入することにより製造されている。
【０００４】
【発明が解決しようとする課題】
近年、この種のフィルム一体キーシートにおいてはデザイン競争が激化し、例えば携帯電話等に用いられる押釦スイッチのフィルム一体キーシートにおいては、多種多様なデザインが要求されている。かかる背景のもと、この種のフィルム一体キーシートにおいては、視認性に優れた高品位なデザインが要求されている。
【０００５】
しかしながら、上記従来のフィルム一体キーシート３１においては、透光性樹脂キートップ３３の裏面３３ａに樹脂注入ゲート部３６ａが設けられているため、シートの押圧部３４の表面側からこの透光性樹脂キートップ３３を見た場合、この樹脂注入ゲート部３６ａが視認されてしまう。そのため、上記従来のフィルム一体キーシート３１は見栄えが悪いものであった。
【０００６】
また、透光性樹脂フィルム３２の裏面３２ａに文字表示層３５を形成した場合に、シートの押圧部３４の表面側から文字表示層３５を見ると、この樹脂注入ゲート部３６ａによって文字表示層３５の表示が歪んで視認されることとなる。
【０００７】
すなわち、上記の樹脂注入ゲート部３６ａの存在は、文字表示層３５の視認性を悪化させ、フィルム一体キーシート３１の押圧部３４の美観を損なわせる要因となっていた。
【０００８】
本発明は、上記課題を解決するためになされたものであり、その目的は、視認性に優れ、高品位なデザインを具備したフィルム一体キーシートを提供することにある。
【０００９】
【課題を解決するための手段】
上記課題を解決するために、請求項１に記載の発明は、透光性樹脂フィルムと透光性樹脂キートップとを備え、前記透光性樹脂キートップの裏面に該透光性樹脂キートップの樹脂注入ゲート部が設けられ、前記透光性樹脂フィルムが前記透光性樹脂キートップの裏面を除く残余の面に固着してなるフィルム一体キーシートにおいて、前記透光性樹脂フィルムの裏面の一部に、開口部を有する表面側装飾層を設け、前記開口部の下方を除く前記透光性樹脂キートップの周縁部であって前記表面側装飾層の下方に設けられた樹脂注入ゲート部を、前記開口部の下端外縁と前記樹脂注入ゲート部の下端中央とを結ぶ直線と、前記透光性樹脂キートップの下面と平行となる水平面とを結ぶ角度が６０度未満となる位置に設けることで、前記樹脂注入ゲート部が前記表面側装飾層によって遮蔽されていることを特徴とする。
【００１１】
請求項２に記載の発明は、請求項１に記載のフィルム一体キーシートにおいて、前記透光性樹脂キートップの裏面に、裏面側装飾層を設けたことを特徴とする。
【００１２】
請求項３に記載の発明は、請求項１又は請求項２に記載のフィルム一体キーシートにおいて、前記開口部に、文字表示部を設けたことを特徴とする。
【００１３】
請求項４に記載の発明は、請求項１から請求項３のいずれか１項に記載のフィルム一体キーシートにおいて、前記表面側装飾層および／または裏面側装飾層が、金属光沢を有することを特徴とする。
【００１４】
【発明の実施の形態】
以下、本発明を具体化した実施の形態を図１〜図５に基づいて説明する。
図１及び図２に示すように、本実施形態のフィルム一体キーシート１１は、透光性樹脂フィルム１２と複数の略円筒状の透光性樹脂キートップ１３とを備えている。透光性樹脂フィルム１２は、その一部が透光性樹脂キートップ１３の上面側形状と略同形状に湾曲し、透光性樹脂キートップ１３の裏面１３ａを除く残余の面に固着している。そのため、このフィルム一体キーシート１１においては、透光性樹脂フィルム１２の上面側に向かって、複数の押圧部１４が凸状に形成された構成となっている。
【００１５】
以下、各構成について説明する。
透光性樹脂フィルム１２を構成する樹脂フィルムは、透光性を有するものであればその組成や種類、色調について特に限定されるものではなく、可撓性を有する公知の樹脂フィルムから要求性能に応じて適宜選択して用いることができる。この具体的な透光性樹脂フィルム１２としては、例えば、オレフィン系フィルム、ビニル系フィルム、フッ素系フィルム、ポリカーボネート系フィルム、アセテート系フィルム、ポリエステル系フィルム、ポリアミド系フィルム、ポリイミド系フィルム、アイオノマーフィルム等が例示される。これらのなかでも、透光性の良好なポリカーボネート系フィルムやフッ素系フィルム、ポリエステル系フィルム等を用いることがより好ましい。
【００１６】
押圧部１４となる透光性樹脂フィルム１２の裏面１２ａには、表面側装飾層１５が設けられている。この表面側装飾層１５は、透光性樹脂フィルム１２の裏面１２ａの一部のみに設けられ、これにより表面側装飾層１５が設けられていない部分、すなわち、開口部１５ａが押圧部１４の略中央に形成された構成となっている。
【００１７】
表面側装飾層１５は、押圧部１４の上方から透光性樹脂フィルム１２及び透光性樹脂キートップ１３を介して視認されるものであり、赤色・青色・黄色・緑色等の有彩色、或いは白色・黒色・灰色等の無彩色、若しくは金属色を呈する層である。この表面側装飾層１５は、透光性樹脂キートップ１３の裏面１３ａにインクや塗料などを塗布或いは印刷、転写等したり、又は、無機物を蒸着或いは転写等したりすることにより形成される。なお、この表面側装飾層１５は、文字・数字・記号・模様或いは絵柄等の図柄を表示するものであっても構わない。
【００１８】
開口部１５ａは、透光性樹脂フィルム１２の裏面１２ａの一部のみに表面側装飾層１５を形成することにより、或いは、透光性樹脂フィルム１２の裏面１２ａ全面に表面側装飾層１５を形成した後、エッチング等にて表面側装飾層１５の一部を除去することにより設けられる。
【００１９】
開口部１５ａの略中央には、文字表示部１６が設けられている。この文字表示部１６は、押圧部１４の上方から透光性樹脂フィルム１２を介して視認されるものであり、文字・数字・記号・模様或いは絵柄等の図柄を描画したものである。この文字表示部１６は、開口部１５ａの透光性樹脂フィルム１２の裏面１２ａに、例えばインクや塗料などを塗布又は印刷、転写等することにより形成される。なお、この文字表示部１６は、乗せ文字状に描画されたものであっても、抜き文字状に描画されたものであっても構わない。また、文字表示部１６は、透光性樹脂フィルム１２の表面および／または裏面に形成する構成としても構わない。
【００２０】
上記の透光性樹脂フィルム１２、表面側装飾層１５及び文字表示部１６の裏面には、透明補強層１７が設けられている。この透明補強層１７は、透光性樹脂フィルム１２、表面側装飾層１５或いは文字表示部１６の裏面に、透明な合成樹脂を塗布、印刷等することにより形成される。この透明補強層１７により、透光性樹脂フィルム１２の湾曲形成時や透光性樹脂キートップ１３の射出成形時に、表面側装飾層１５及び文字表示部１６の歪みや変形、劣化が抑制され、これら表面側装飾層１５及び文字表示部１６の外観品位が保たれる。さらに、この透明補強層１７は、透光性樹脂フィルム１２と透光性樹脂キートップ１３との密着性を向上させる作用を有する。
【００２１】
透光性樹脂キートップ１３を構成する合成樹脂は、透光性を有するものであればその組成や種類、色調について特に限定されるものではなく、例えば、熱可塑性樹脂、熱可塑性エラストマー、硬化性樹脂或いは架橋ゴムなどの公知の合成樹脂から要求性能に応じて適宜選択して用いることができる。なかでも、成形加工性の良好な熱可塑性樹脂を用いることが好ましく、例えば、ポリカーボネート樹脂、ポリエステル樹脂、フッ素系樹脂、アクリル樹脂、アクリロニトリル−ブタジエン−スチレン樹脂（ＡＢＳ樹脂）、アクリロニトリル−スチレン樹脂、アクリロニトリル−塩素化ポリエチレン−スチレン樹脂等を好適に用いることができる。これらのなかでも、透明性、機械的強度及び耐熱性等の良好なポリカーボネート樹脂を用いることが特に好ましい。
【００２２】
透光性樹脂キートップ１３の裏面１３ａには、樹脂注入ゲート部Ｇが設けられている。この樹脂注入ゲート部Ｇは、透光性樹脂キートップ１３の裏面１３ａの周縁部に設けられ、押圧部１４の略中央に設けられた前記開口部１５ａの下方を除く位置、すなわち、前記表面側装飾層１５の下方に設けられている。より具体的には、この樹脂注入ゲート部Ｇは、開口部１５ａ及び樹脂注入ゲート部Ｇを結ぶ直線と水平面とがなす角度（俯角θ）が、６０度未満となる位置に設けられている。
【００２３】
透光性樹脂キートップ１３の裏面１３ａには、裏面側装飾層１８が設けられている。この裏面側装飾層１８は、押圧部１４の上方から透光性樹脂フィルム１２及び透光性樹脂キートップ１３を介して視認されるものであり、赤色・青色・黄色・緑色等の有彩色、或いは白色・黒色・灰色等の無彩色、若しくは金属色を呈する層である。この裏面側装飾層１８は、上記表面側装飾層１５と同様に形成される。なお、この裏面側装飾層１８は、文字・数字・記号・模様或いは絵柄等の図柄を表示するものであっても構わない。
【００２４】
上記表面側装飾層１５及び裏面側装飾層１８は、金属光沢を有するものであることが好ましい。かかる金属光沢を有する表面側装飾層１５及び裏面側装飾層１８は、例えば、金属粉末配合塗料（メタルインク）を塗布或いは印刷などすることにより、又は、アルミニウムやクロム、銅、ニッケル等の金属を蒸着或いは転写等することにより形成される。このように金属光沢を有する表面側装飾層１５及び裏面側装飾層１８とすることにより、金属光沢調を呈するデザインを実現でき、高光沢で美観に優れデザイン性の高いフィルム一体キーシート１１を実現することができる。
【００２５】
また、上記表面側装飾層１５及び裏面側装飾層１８は、透光性を有するものであることが好ましい。かかる透光性を有する表面側装飾層１５及び裏面側装飾層１８は、透光性を有するインクや塗料などを塗布或いは印刷等したり、又は、アルミニウムやクロム、銅、ニッケル等の金属を２〜３００ｎｍの厚さで蒸着等することにより形成される。このように透光性を有する表面側装飾層１５及び裏面側装飾層１８とすることにより、透光性樹脂キートップ１３の裏面１３ａ側に、ＬＥＤ（発光ダイオード）やＥＬ（エレクトロルミネセンス）などの照光器を付設することにより、簡易に照光機能を付与することができ、夜間や暗い場所でのフィルム一体キーシート１１の視認性を向上させることができる。なお、アルミニウムやクロム、銅、ニッケル等の金属を５〜５０ｎｍの厚さで蒸着等することにより、金属光沢と透光性とを併せ持つ表面側装飾層１５及び裏面側装飾層１８を実現することができる。
【００２６】
以下、本実施形態のフィルム一体キーシート１１の製造方法を図３及び図４に基づいて説明する。
ここでは、透光性樹脂キートップ１３の成形用の上下一対の成形金型（上金型２１，下金型２２）を用いた製造方法を説明する。図３に示すように、上金型２１には、透光性樹脂キートップ１３を成形するための略円筒状の成形凹部２１ａからなるキャビティＳが設けられている。一方、下金型２２には、溶融樹脂を注入するための樹脂注入ゲート２２ａが、上金型２１のキャビティＳに対して一方に偏して設けられている。この樹脂注入ゲート２２ａは、成形されるフィルム一体キーシート１１の表面側装飾層１５及び開口部１５ａに対して、前述した位置関係となるように配設されている。なお、樹脂注入ゲート２２ａは、ピンポイントゲート、ファンゲート、フィルムゲート、リングゲート、ディスクゲート、サブマリンゲート、オーバーラップゲート、ダイレクトゲート、タブゲート、エッジゲートなどが挙げられ、特に限定されるものではないが、透光性樹脂キートップ１３に残るゲート痕（樹脂注入ゲート部Ｇ）が小さい等の理由から、ピンポイントゲートであることが好ましい。
【００２７】
そして、このフィルム一体キーシート１１を製造するには、まず、透光性樹脂フィルム１２の裏面１２ａの一部に表面側装飾層１５を形成し、表面側装飾層１５の開口部１５ａに文字表示部１６を形成する。さらに、透光性樹脂フィルム１２、表面側装飾層１５及び文字表示部１６の裏面に、透明補強層１７を塗布、印刷等して形成する。
【００２８】
次いで、図４に示すように、この表面側装飾層１５、文字表示部１６及び透明補強層１７が形成された透光性樹脂フィルム１２を、上金型２１と下金型２２との間に挟持して型締めする。ここで、上金型２１と下金型２２との間に挟持する透光性樹脂フィルム１２の一部を、冶具などを用いて、成形する透光性樹脂キートップ１３の上面側形状（上金型２１のキャビティＳ形状）と略同形状に予め湾曲変形させておくことが好ましい。
【００２９】
そして、下金型２２の樹脂注入ゲート２２ａから、溶融した合成樹脂をキャビティＳ内に射出する。この溶融した合成樹脂のキャビティＳ内への注入に伴い、透光性樹脂フィルム１２は上金型２１のキャビティＳ形状と略同形状に湾曲して伸張される。その結果、透光性樹脂キートップ１３が成形されるとともに、透光性樹脂フィルム１２と透光性樹脂キートップ１３とが熱融着により固着して、フィルム一体キーシートが作製される。
【００３０】
冷却後、上金型２１及び下金型２２を離型させてフィルム一体キーシートを取り出し、このフィルム一体キーシートの透光性樹脂キートップ１３の裏面１３ａに裏面側装飾層１８を形成することにより、本実施形態のフィルム一体キーシート１１が製造される。
【００３１】
以上詳述したように、本実施形態によれば以下に示す作用効果が奏される。
（１）  透光性樹脂フィルム１２と透光性樹脂キートップ１３とを備え、透光性樹脂キートップ１３の裏面１３ａに透光性樹脂キートップ１３の樹脂注入ゲート部Ｇが設けられ、前記透光性樹脂フィルム１２が透光性樹脂キートップ１３の裏面１３ａを除く残余の面に固着してなるフィルム一体キーシート１１において、前記透光性樹脂フィルム１２の裏面１２ａの一部に表面側装飾層１５を設け、この表面側装飾層１５の下方に樹脂注入ゲート部Ｇを設けた。
【００３２】
このように構成すると、フィルム一体キーシート１１の押圧部１４の表面側から透光性樹脂キートップ１３を見た場合に、表面側装飾層１５により樹脂注入ゲート部Ｇが遮蔽されて、樹脂注入ゲート部Ｇが視認されなくなる。すなわち、この表面側装飾層１５は、樹脂注入ゲート部Ｇを遮蔽する機能を有する。従って、外観が良好で美観に優れるフィルム一体キーシート１１を実現することができる。
【００３３】
（２）  透光性樹脂フィルム１２の裏面１２ａに、開口部１５ａを有する表面側装飾層１５を設け、前記樹脂注入ゲート部Ｇを、開口部１５ａ及び樹脂注入ゲート部Ｇを結ぶ直線と水平面とを結ぶ角度が６０度未満となる位置に設けた。
【００３４】
このように構成すると、フィルム一体キーシート１１の押圧部１４の表面側から透光性樹脂キートップ１３を見た場合に、表面側装飾層１５により樹脂注入ゲート部Ｇが遮蔽されて、樹脂注入ゲート部Ｇが視認されなくなる。すなわち、この表面側装飾層１５は、樹脂注入ゲート部Ｇを遮蔽する機能を有する。従って、外観が良好で美観に優れるフィルム一体キーシート１１を実現することができる。
【００３５】
（３）  樹脂注入ゲート部Ｇを、透光性樹脂キートップ１３の裏面１３ａの周縁部に設けた。このように構成すると、押圧部１４の略中央に設けた開口部１５ａの下方の透光性樹脂キートップ１３の裏面１３ａを、段差のない平滑な面とすることができる。従って、この開口部１５ａの下方の透光性樹脂キートップ１３の裏面１３ａに、高品質な文字や装飾等を簡易に施すことができるようになり、種々のデザインを具現化することができるようになる。そのため、デザインバリエーションを拡大することができるようになり、生産性が高く美観に優れるデザイン性の高いフィルム一体キーシート１１を実現することができる。
【００３６】
（４）  透光性樹脂キートップ１３の裏面１３ａに、裏面側装飾層１８を設けた。ここで、本実施形態のフィルム一体キーシート１１においては、上記のように表面側装飾層１５の下方であって、透光性樹脂キートップ１３の裏面１３ａの周縁部に樹脂注入ゲート部Ｇを設けたため、このように裏面側装飾層１８を設けても、樹脂注入ゲート部Ｇが裏面側装飾層１８の視認性を悪化させる要因とならない。従って、フィルム一体キーシート１１の押圧部１４の表面側から裏面側装飾層１８が明瞭に視認されることとなり、視認性を向上させた美観に優れるフィルム一体キーシート１１を実現することができる。そして、このように裏面側装飾層１８を設ける構成とすることにより、さらに多種多様のデザインを具現化することができ、美観に優れるデザイン性の高いフィルム一体キーシート１１を実現することができる。
【００３７】
（５）  開口部１５ａに文字表示部１６を設けた。ここで、本実施形態のフィルム一体キーシート１１においては、上記のように表面側装飾層１５の下方であって、透光性樹脂キートップ１３の裏面１３ａの周縁部に樹脂注入ゲート部Ｇを設けたため、このように開口部１５ａに文字表示部１６を設けても、樹脂注入ゲート部Ｇが文字表示部１６の視認性を悪化させる要因とならない。従って、フィルム一体キーシート１１の押圧部１４の表面側から文字表示部１６が明瞭に視認されることとなり、視認性を向上させた美観に優れるフィルム一体キーシート１１を実現することができる。そして、このように文字表示部１６を設ける構成とすることにより、さらに多種多様のデザインを具現化することができ、美観に優れるデザイン性の高いフィルム一体キーシート１１を実現することができる。
【００３８】
（６）  透光性樹脂フィルム１２の裏面１２ａに表面側装飾層１５を設け、開口部１５ａに文字表示部１６を設けるとともに、透光性樹脂キートップ１３の裏面１３ａに裏面側装飾層１８を設けた。
【００３９】
このように構成すると、図５に示すように、押圧部１４において、文字表示部１６の周囲に裏面側装飾層１８及び表面側装飾層１５が視認されるとともに、文字表示部１６の文字等の影が裏面側装飾層１８に映し出されて、文字表示部１６が立体的に浮き出た外観として視認されるようになる。すなわち、立体感のある文字表示部１６を実現することができる。従って、この種のフィルム一体キーシート１１において、従来存在しなかった新たなデザインを具現化することができ、フィルム一体キーシート１１のデザインバリエーションを拡大することができる。これにより、美観に優れるデザイン性の高いフィルム一体キーシート１１を実現することができる。
【００４０】
（７）  表面側装飾層１５および／または裏面側装飾層１８を、金属光沢を有するものとすることにより、金属光沢調を呈する高級感のあるデザインを実現でき、高光沢で美観に優れデザイン性の高いフィルム一体キーシート１１を実現することができる。
【００４１】
（変形例）
尚、本発明は、前記実施形態の構成に限定されるものではなく、この発明の趣旨から逸脱しない範囲で、各部の構成を任意に変更して具体化してもよい。
【００４２】
・  前記実施形態のフィルム一体キーシート１１において、裏面側装飾層１８を透光性樹脂キートップ１３の裏面１３ａの一部のみに設けた構成とすること。例えば、図６に示すように、裏面側装飾層１８を、開口部１５ａの下方の透光性樹脂キートップ１３の裏面１３ａのみに形成した構成とすること。このように構成しても、上記実施形態と同様の作用効果が奏される。
【００４３】
・  前記実施形態のフィルム一体キーシート１１において、表面側装飾層１５を透光性樹脂キートップ１３の表面に設けた構成とすること。表面側装飾層１５が透光性樹脂フィルム１２及び透光性樹脂キートップ１３の間に介在された構成であれば、上記実施形態と同様の作用効果が奏される。
【００４４】
・  前記実施形態のフィルム一体キーシート１１において、文字表示部１６或いは透明補強層１７を省略した構成とすること。このように構成しても、上記実施形態と同様の作用効果が奏される。
【００４５】
・  透光性樹脂キートップ１３の形状（透光性樹脂キートップ１３を成形するための成形凹部２１ａの形状）を適宜変更すること。このように構成しても、上記実施形態と同様の作用効果が奏される。
【００４６】
・  透光性樹脂キートップ１３の裏面１３ａ側に、ＬＥＤ（発光ダイオード）やＥＬ（エレクトロルミネセンス）などの照光器を付設すること。このように構成すると、フィルム一体キーシート１１に簡易に照光機能を付与することができ、夜間や暗い場所でのフィルム一体キーシート１１の視認性を向上させることができる。
【００４７】
（付記）
上記実施形態及び変形例から把握される技術的思想について以下に記載する。
・  透光性樹脂フィルムと透光性樹脂キートップとを備え、前記透光性樹脂キートップの裏面に該透光性樹脂キートップの樹脂注入ゲート部が設けられ、前記透光性樹脂フィルムが前記透光性樹脂キートップの裏面を除く残余の面に固着してなるフィルム一体キーシートにおいて、前記透光性樹脂フィルムの裏面の一部に、前記樹脂注入ゲート部を遮蔽する表面側装飾層を設けたことを特徴とするフィルム一体キーシート。このように構成しても、上記実施形態と同様の作用効果が奏される。
【００４８】
【発明の効果】
以上詳述したように、請求項１に記載の発明によれば、透光性樹脂フィルムの裏面の一部に、開口部を有する表面側装飾層を設けるとともに、この表面側装飾層の下方に樹脂注入ゲート部を設けている。すなわち、同樹脂注入ゲート部は、開口部の下方を除く透光性樹脂キートップの周縁部に設けられている。こうした開口部と樹脂注入ゲート部とは、開口部の下端外縁と樹脂注入ゲート部の下端中央とを結ぶ直線と、透光性樹脂キートップの下面と平行となる水平面とを結ぶ角度が６０度未満となる位置関係で設けられている。これにより、押圧部の上面側から透光性樹脂キートップを見た場合に、表面側装飾層により樹脂注入ゲート部が遮蔽されて、樹脂注入ゲート部が視認されなくなる。従って、視認性に優れ、美観に優れるデザイン性の高いフィルム一体キーシートを実現することができる。
【００４９】
また、透光性樹脂キートップの裏面に、高品質な文字や装飾等を簡易に施すことができるようになり、種々のデザインを具現化することができるようになる。従って、デザインバリエーションを拡大することができ、生産性が高く高品位なデザインを具備したフィルム一体キーシートを実現することができる。
【図面の簡単な説明】
【図１】  本発明のフィルム一体キーシートを示す概略斜視図。
【図２】  図１のＡ−Ａ断面図。
【図３】  本発明のフィルム一体キーシートの製造方法を示す断面図。
【図４】  本発明のフィルム一体キーシートの製造方法を示す断面図。
【図５】  本発明のフィルム一体キーシートの押圧部の概略斜視図。
【図６】  本発明の変形例のフィルム一体キーシートを示す断面図。
【図７】  従来のフィルム一体キーシートを示す断面図。
【符号の説明】
Ｇ…樹脂注入ゲート部、１１…フィルム一体キーシート、１２…透光性樹脂フィルム、１２ａ…裏面、１３…透光性樹脂キートップ、１３ａ…裏面、１５…表面側装飾層、１５ａ…開口部、１６…文字表示部、１８…裏面側装飾層。
【図１】
0004087596.tif 000002
【図２】
0004087596.tif 000003
【図３】
0004087596.tif 000004
【図４】
0004087596.tif 000005
【図５】
0004087596.tif 000006
【図６】
0004087596.tif 000007
【図７】
0004087596.tif 000008